(57)【要約】【課題】故障などの不具合が発生したときに、簡単な構成および作業で、操作者の誤操作を防止して、適切かつ確実に対応できる通信装置を提供する。【解決手段】コネクタ２２，２３によって、画像メモリ２１がＣＰＵ１２と着脱自在に接続される。画像メモリ２１に記憶される画像データは、ＣＰＵ２１によって読み出される。モード切換部１０は、通常モードと修復モードとのいずれかに動作モードが切換える。このように簡単に構成される通信装置１を用いて、自機とは異なる通信装置が画像を形成できなくても、別の通信装置の代わりに画像を形成できる。このとき操作者は、通信装置および前記別の通信装置の画像メモリ２１を相互に置換え、動作モードを修復モードに切換えるだけでよいので、装置の不具合に適切かつ確実に対応することができる。これによって操作者の誤操作を防止して、適切かつ確実に対応できる通信装置１を実現できる。【選択図】      図２
2004193993.tif 000002
【特許請求の範囲】
【請求項１】
通信回線を介して他の通信装置と通信するための通信手段と、
他の通信装置から受信したデータが記憶される記憶手段が着脱自在に接続される接続手段と、
前記他の通信装置と通信する通常モードと、自機とは異なる通信装置において受信したデータが記憶された記憶手段からデータを読み出して、そのデータが表わす画像を形成する修復モードとに、動作モードを切換える切換手段と、
記憶手段からデータを読み出す読出し手段と、
記憶手段に記憶されたデータに基づいて、画像を形成する画像形成手段と、
動作モードに応じた手順で画像を形成するように画像形成手段を制御する制御手段とを含むことを特徴とする通信装置。
【請求項２】
報知手段をさらに含み、
記憶手段に記憶されるデータには、受信したときのデータの全体量を含む管理情報が付加されており、記憶手段に記憶されるデータの全体量が、管理情報におけるデータの全体量と一致しないとき、前記制御手段は、このデータを受信したときの通信が失敗したと判断し、通信が失敗したことを表わす情報を報知するように報知手段を制御することを特徴とする請求項１記載の通信装置。
【請求項３】
前記切換手段は、３つの端子と、３つの端子のうち２つの端子に選択的に装着される装着部材とを有し、前記装着部材の端子への装着状態を切換えることによって通常モードと修復モードとを切換えることを特徴とする請求項１または２記載の通信装置。
【発明の詳細な説明】
【０００１】
【発明の属する技術分野】
本発明は、通信回線を介して他の通信装置と通信する通信装置に関する。
【０００２】
【従来の技術】
従来技術のファクシミリ装置では、汎用の標準ランダムアクセスメモリ（ＲＡＭ）カードが、画像データの書込みおよび読み出しを行うための汎用のインターフェース手段を介して、装置本体に電気的に接続される。装置本体の故障によって、画像データが標準ＲＡＭカードに蓄積されたままで、画像が記録できないとき、この標準ＲＡＭカードが、他のファクシミリ装置などの他の装置の予備の標準ＲＡＭカードのスロットに接続される。このようにして他の装置のインターフェース手段によって画像データが読み出されて、画像が記録される（たとえば特許文献１参照）。
【０００３】
他の従来技術のファクシミリ装置では、装置本体のメンテナンス処理を実行するときにだけ、必要なメンテナンス用プログラムをダウンロードして、装置本体のメモリに書込み、そのメンテナンス用プログラムに基づいてメンテナンス処理を実行する。メンテナンス処理が終了すると、そのメンテナンス用プログラムがメモリから削除される。このように一連の作業によって、利用者が誤ったメンテナンス処理をすることを防止しようとしている（たとえば特許文献２参照）。
【０００４】
【特許文献１】
特開平４−１８６９６１号公報
【特許文献２】
特開２００１−７７９６４号公報
【０００５】
【発明が解決しようとする課題】
前述の従来技術のファクシミリ装置では、装置本体の故障時に、汎用のＲＡＭカードを故障した装置本体から取り外して、他の装置の汎用のインターフェース手段に装着するだけであるので、利用者は非常に容易に扱うことができる。このようにＲＡＭカードの抜き差しだけの簡単な作業だけでは、逆に利用者が誤って操作する可能性が高く、この誤操作によってＲＡＭカードに蓄積される画像データが破壊されるなどして機密性を確保することができない。さらに画像データの書込みおよび読み出しのためのインターフェース手段を別途に必要とするので、装置の構成が複雑になり、コストが余分にかかる。
【０００６】
また前述の他の従来技術のファクシミリ装置では、メンテナンス処理が必要な事態が発生するたびに、前述の一連の作業を行わなければならない。これによって装置に故障などの不具合が発生して、その対策が緊急に必要になったときには、作業が返って煩わしくなり、利用者が所望のメンテナンス用プログラムとは異なるデータをダウンロードするなどして誤って操作する可能性が高い。
【０００７】
また各ファクシミリ装置では、装置の故障などの不具合によって、所定枚数の画像を記録するのに必要な画像データが不完全であるときに、有効に対応することができる構成になっていない。
【０００８】
したがって本発明の目的は、故障などの不具合が発生したときに、簡単な構成および作業で、操作者の誤操作を防止して、適切かつ確実に対応することができる通信装置を提供することである。
【０００９】
【課題を解決するための手段】
本発明は、通信回線を介して他の通信装置と通信するための通信手段と、
他の通信装置から受信したデータが記憶される記憶手段が着脱自在に接続される接続手段と、
前記他の通信装置と通信する通常モードと、自機とは異なる通信装置において受信したデータが記憶された記憶手段からデータを読み出して、そのデータが表わす画像を形成する修復モードとに、動作モードを切換える切換手段と、
記憶手段からデータを読み出す読出し手段と、
記憶手段に記憶されたデータに基づいて、画像を形成する画像形成手段と、
動作モードに応じた手順で画像を形成するように画像形成手段を制御する制御手段とを含むことを特徴とする通信装置である。
【００１０】
本発明に従えば、通信手段が、通信回線を介して他の通信装置と通信することによって、データが受信される。他の通信装置から受信したデータは、接続手段に着脱自在に接続される記憶手段に記憶される。記憶手段に記憶されるデータは、読出し手段によって読み出され、そのデータに基づいて画像が画像形成手段によって形成される。他の通信装置と通信するときには、動作モードが切換手段によって通常モードに切換えられる。自機とは異なる通信装置において受信されたデータが記憶された記憶手段に記憶されたデータを読み出して、そのデータが表わす画像を形成するときには、動作モードが切換手段によって修復モードに切換えられる。画像形成手段は、その動作モードに応じた手順で画像を形成するように、制御手段によって制御される。
【００１１】
このように構成される通信装置を用いて、自機とは異なる別の通信装置において受信したデータが記憶手段に記憶された状態で、別の通信装置に故障などの不具合が発生して画像を形成することができないときであっても、別の通信装置の記憶手段からデータを読み出して、画像を形成することができる。このとき利用者およびサービスマンなどの操作者は、通信装置および前記別の通信装置の各記憶手段を相互に置換える作業と、通常モードから修復モードに動作モードを切換える作業との、２つの作業だけで対応することができる。このように簡単な２つの作業、かつ簡単な構成で装置の不具合に適切かつ確実に対応することができる。これによって操作者が、作業時に誤って操作することを確実に防止して、適切かつ確実に対応することができる。またデータの破壊などを防止してデータの機密性を確保することができる。さらに画像の形成途中に、前記別の通信装置に不具合が発生したときであっても、残りの画像を確実に形成して、通信相手からの情報を確実に取得することができる。
【００１２】
また本発明は、報知手段をさらに含み、
記憶手段に記憶されるデータには、受信したときのデータの全体量を含む管理情報が付加されており、記憶手段に記憶されるデータの全体量が、管理情報におけるデータの全体量と一致しないとき、前記制御手段は、このデータを受信したときの通信が失敗したと判断し、通信が失敗したことを表わす情報を報知するように報知手段を制御することを特徴とする。
【００１３】
本発明に従えば、記憶手段に記憶されるデータには、受信したときのデータの全体量を含む管理情報が付加されている。記憶手段に記憶されるデータの全体量が、管理情報におけるデータの全体量と一致しないとき、このデータを受信したときの通信が失敗したと制御手段によって判断される。このとき報知手段は、通信が失敗したことを表わす情報を報知するように、制御手段によって制御される。このようにデータを受信したときの通信に関する情報が報知されるので、利用者が、通信相手からの情報が不足していることを確実に知ることができる。これによって通信相手からの情報が不足していることで生じる不具合を未然に防ぎ、装置の操作者が、通信相手からデータを再度送信してもらうなどして適切な対応を取ることができる。
【００１４】
また本発明は、前記切換手段は、３つの端子と、３つの端子のうち２つの端子に選択的に装着される装着部材とを有し、前記装着部材の端子への装着状態を切換えることによって通常モードと修復モードとを切換えることを特徴とする。
【００１５】
本発明に従えば、切換手段は、３つの端子と、３つの端子のうち２つの端子に選択的に装着される装着部材とを有する。装着部材の端子への装着状態を切換えることによって、通常モードと修復モードとが切換えられる。このように切換手段が構成されるので、３つの端子のうち２つの端子に、装着部材を選択的に装着するだけの簡単な作業で動作モードを切換えることができる。これによって緊急を要するようなときであっても、装置の操作者による誤操作を確実に防止することができる。
【００１６】
【発明の実施の形態】
図１は、本発明の実施の一形態である通信装置１の構成を簡略化して示すブロック図である。図２は、通信装置１が備えるマザーボード１５の構成の一部を簡略化して示す斜視図である。通信装置１は、通信回線を介して他の通信装置と通信する装置である（以下、「通信装置１」を「装置本体１」と呼ぶ場合がある）。通信装置１は、各種のデータ、たとえば画像データを受信し、その画像データに基づいて、送信元から与えられる情報を、文字および図形などの画像として記録材に形成する。前記記録材は、紙および紙以外の材料から成る記録用のシートを含む。以下、画像データを含む各種の情報を、画像として記録材に形成することを、「印刷する」と表記する場合がある。通信装置１は、たとえば電話回線によって構成される公衆電話交換ネットワークに接続される他の通信装置から受信した画像データに基づいて、画像を形成するファクシミリ装置によって実現される。通信装置１は、電源部２、メモリ部３、リードオンリーメモリ（Read OnlyMemory；略称ＲＯＭ）４、ランダムアクセスメモリ（Random Access Memory；略称ＲＡＭ）５、タイマー部６、プリンタ部７、モデム（Ｍｏｄｅｍ）８、回線制御部（Network Control Unit；略称ＮＣＵ）９、モード切換部１０、パネル部１１、中央演算処理装置（Central Processor Unit；略称ＣＰＵ）１２およびデータバス１３を含んで構成される。
【００１７】
電源部２は、電源を有し、装置本体１に電力を供給する。メモリ部３は、他の通信装置から受信した画像データを記憶する。メモリ部３は、画像データの記憶内容の書換えが可能な不揮発性メモリによって実現される。メモリ部３は、受信した画像データを記憶することによって、画像データをバックアップする。受信した画像データは、受信されたときのデータに関する情報である管理情報が付加されて、メモリ部３に記憶される。管理情報には、たとえば通信相手の電話番号および通信日時などがある。
【００１８】
ＲＯＭ４は、各種のプログラムを記憶し、たとえばルーチンプログラム４ａおよび修復モード用プログラム４ｂを記憶する。ルーチンプログラム４ａは、通信装置１を制御するための制御プログラムなどの通信装置１専用のプログラムである。修復モード用プログラム４ｂは、後述する修復モードで画像を形成するときの手順を表わすプログラムである。ＲＡＭ５は、通信のための画像データを一時的に記憶する受信バッファおよび送信バッファとして用いられるとともに、ＲＯＭ４に記憶される各種のプログラムを実行するためのワークエリアとして用いられる。本実施の形態では、記憶手段は、メモリ部３およびＲＡＭ５を含む。
【００１９】
タイマー部６は、特定の時間を設定する。前記特定の時間は、たとえばメンテナンス関係者が、パネル部１１の入力部分１１ａを操作して、所望の時間を入力するなどして設定する。タイマー部６は、後述するＣＰＵ１２の指令に基づいて、計時を開始して、設定した特定の時間になったことをＣＰＵ１２に報知する。画像形成手段であるプリンタ部７は、記憶される画像データに基づいて、画像を記録材に形成する。さらに報知手段でもあるプリンタ部７は、たとえば通信装置１と自機とは異なる通信装置との通信が失敗するなどして不具合が生じたときに、通信が失敗したことを表わす情報を印刷する。
【００２０】
モデム８は、通信装置１を通信回線を介して他の通信装置と電気的に接続する。またモデム８は、他の通信装置に送信する画像データを表わすデジタル信号を、変調してアナログ信号に変換するとともに、他の通信装置からの画像データを表わすアナログ信号を、復調してデジタル信号に変換する。ＮＣＵ９は、通信回線に通信装置１を電気的に接続するときに必要な手段であり、通信相手を呼び出すためにダイヤル信号を送出する。ＮＣＵ９は、モデム８に備えられていてもよい。本実施の形態では、通信手段は、モデム８、ＮＣＵ９およびＣＰＵ１２を含む。切換手段であるモード切換部１０は、予め設定される複数、本実施の形態では２つの動作モードのうち所望の動作モードになるように、動作モードを切換える。本実施の形態では、２つの動作モードには、通信装置１が他の通信装置と通信する通常モードと、自機とは異なる通信装置において受信した画像データが記憶された記憶手段から画像データを読み出して、その画像データが表わす画像を形成する修復モードとがある。
【００２１】
報知手段であるパネル部１１は、操作者がテンキーパッドなどを入力操作するための入力部分１１ａと、各種の情報を表示するための表示部分１１ｂとを含んで構成される。前記操作者は、通信装置１の利用者ならびにサービスマンおよびメンテナンス技術者を含む。サービスマンおよびメンテナンス技術者は、通信装置１に故障などの不具合が発生しないようにメンテナンスを行うとともに、不具合が発生したときに、装置の修復作業をするメンテナンス関係者である。通信装置１の操作者は、入力部分１１ａを入力操作して、通信装置１に記録材のサイズおよび記録の枚数などの各種の設定を行い、この入力結果に基づいて通信装置１の各部がＣＰＵ１２によって制御される。またパネル部１１の表示部分１１ｂは、たとえば液晶ディスプレイ（Liquid Crystal Display；略称ＬＣＤ）によって実現され、入力部分１１ａによる入力結果などの各種の情報を表示する。
【００２２】
制御手段であるＣＰＵ１２は、メモリ部３、ＲＯＭ４、ＲＡＭ５、タイマー部６、プリンタ部７、モデム８、ＮＣＵ９、モード切換部１０およびパネル部１１などの通信装置１の各部を制御して、通信装置１全体を制御する。読出し手段でもあるＣＰＵ１２は、必要に応じて、ＲＯＭ４に記憶されるプログラムを読み出して実行するとともに、メモリ部３およびＲＡＭ５に記憶される画像データを読み出す。たとえばＣＰＵ１２は、通常モードで印刷するときには、ＲＯＭ４に記憶されるルーチンプログラム４ａを読み出して実行し、修復モードで印刷するときには、ＲＯＭ４に記憶される修復プログラム４ｂを読み出して実行する。
【００２３】
データバス１３は、画像データなどの各種のデータをやり取りするための伝送路である。データバス１３は、メモリ部３、ＲＯＭ４、ＲＡＭ５、タイマー部６、プリンタ部７、モデム８、ＮＣＵ９、モード切換部１０およびＣＰＵ１１を相互に電気的に接続する。このデータバス１３を介して、ＣＰＵ１２からの指令が前記各部に与えられるとともに、前記各部からの指令に基づく動作結果を表わす信号がＣＰＵ１１に与えられる。
【００２４】
メモリ部３、ＲＯＭ４、ＲＡＭ５、タイマ部６、モデム８、ＮＣＵ９、モード切換部１１、ＣＰＵ１２およびデータバス１３は、マザーボード１５に搭載される。マザーボード１５は、装置のシステムを構成するための最も基本的なデバイス群を搭載した基板である。マザーボード１５は、通信装置１の筐体内に備えられる。これによってマザーボード１５は、通信装置１を通信などに通常用いるときには、操作者の目に触れないように、通信装置１に備えられている。マザーボード１５には、たとえばシリアルポートやパラレルポート、グラフィックスサブシステムなども搭載されていてもよい。
【００２５】
前述のメモリ部３は、基板である画像メモリボード２０を有する。前記画像メモリボード２０には、１または複数の画像メモリ２１と、接続手段であるコネクタ２２とが搭載される。画像メモリ２１は、他の通信装置から受信した画像データが記憶される。前記マザーボード１５には、接続手段であるコネクタ２３が搭載される。マザーボード１５のコネクタ２３は、データバス１３に電気的に接続されている。たとえば操作者が、画像メモリボード２０をマザーボード１５に装着することによって、マザーボード１５のコネクタ２３と画像メモリボード２０のコネクタ２２とが機械的に接続される。これによってメモリ部３とマザーボード１５に搭載される各部とが相互に電気的に接続される。また操作者が、画像メモリボード２０をマザーボード１５から離脱することによって、マザーボード１５のコネクタ２３と画像メモリボード２０のコネクタ２２との機械的な接続が解除される。これによってメモリ部３とマザーボード１５に搭載される各部との電気的な接続が解除される。このようにしてメモリ部３は、画像メモリボード２０のコネクタ２２によって、マザーボード１５のコネクタ２３に着脱自在に接続される。
【００２６】
前記モード切換部１０は、詳細には、Ｍポート２５と、モード選択スイッチ回路２６とを含んで構成される。Ｍポート２５は、ＣＰＵ１２が動作モードに応じて発生する電圧を検出するための特定のポートである。モード選択スイッチ回路２６は、第１ショートピン２７ａ、第２ショートピン２７ｂおよび第３ショートピン２７ｃならびに装着部材２８を含んで構成される。第１〜第３ショートピン２７ａ〜２７ｃは、動作モードを選択するための３つの端子である。装着部材２８は、第１〜第２ショートピン２７ａ〜２７ｃのうち２つのショートピンを電気的に接続して短絡するための部材である。装着部材２８は、たとえばメンテナンス関係者によって、第１〜第３ショートピン２７ａ〜２７ｃのうち２つのショートピンに選択的に装着される。また通信装置１に電源が入っている状態で、メンテナンス関係者が装着部材２８を用いて作業をしても、感電することがないように、少なくとも装着部材２８のメンテナンス関係者が持つ部分が絶縁してある。
【００２７】
図３は、モード切換部１０の電気的構成を示す回路図である。図４は、装着部材２８が第１ショートピン２７ａと第２ショートピン２７ｂとを接続する状態を示す図である。図５は、装着部材２８が第２ショートピン２７ｂと第３ショートピン２７ｃとを接続する状態を示す図である。前述のモード選択スイッチ回路２６は、集積回路（Integrated Circuit；略称ＩＣ）３０、第１抵抗器３１および第２抵抗器３２をさらに含んで構成される。ＩＣ３０は、その入力端子における電位に応じて、出力端子における電位を制御する。具体的にはＩＣ３０は、入力端子における電位に応じて、出力端子側を接地する状態および接地しない状態のいずれか一方の状態になるように制御する。ＩＣ３０の入力端子および出力端子には、プルアップ抵抗である第１抵抗器３１および第２抵抗器３２を介して電源部２のプラス側に電気的に接続される。これによってＩＣ３０の入力端子および出力端子の電位は、接地電位に比べて、プラスＥｂだけ電位が高くなっている。
【００２８】
第１ショートピン２７ａは、接地されておらず、装着部材によって第２ショートピン２７ｂと電気的に接続されるとき以外には、電気的接続がない状態になっている。第２ショートピン２７ｂは、ＩＣ３０の入力端子に電気的に接続される。第３ショートピン２７ｃは、接地される。Ｍポート２５は、第１端子２５ａおよび第２端子２５ｂの２つの端子を含んで構成される。Ｍポート２５の第１端子２５ａは、ＩＣ３０の出力端子に電気的に接続される。
【００２９】
装着部材２８が、図４に示すように、第１ショートピン２７ａと第２ショートピン２７ｂとを電気的に接続する第１装着状態では、第１抵抗器３１、第１ショートピン２７ａおよび第２ショートピン２７ｂには電流が流れないので、ＩＣ３０の入力端子における接地電位に対する電位は、プラスＥｂである。このときＩＣ３０は、その出力端子側を接地するように制御するので、ＩＣ３０の出力端子における電位は、接地電位と同一になる。これによってＭポート２５のポート出力Ｖｍは、ロー（Ｌｏｗ）レベルになる（以下、「ローレベル」を単に「Ｌレベル」と表記する場合がある）。前記Ｍポート２５のポート出力Ｖｍは、第１端子２５ａの接地電位に対する電位である。
【００３０】
装着部材２８が、図５に示すように、第２ショートピン２７ｂと第３ショートピン２７ｃとを電気的に接続する第２装着状態では、第３ショートピン２７ｃが接地されているので、ＩＣ３０の入力端子の電位は、接地電位と同一になる。このときＩＣ３０は、出力端子側を接地しないように制御するので、ＩＣ３０の出力端子における電位は、接地電位に対してプラスＥｂだけ高くなっている。これによってＭポート２５の出力Ｖｍは、ハイ（Ｈｉｇｈ）レベルになる（以下、「ハイレベル」を単に「Ｈレベル」と表記する場合がある）。このように装着部材２８の装着状態に応じてＭポート２５のポート出力Ｖｍが変化する。
【００３１】
ＣＰＵ１２は、Ｍポート２５のポート出力Ｖｍを検出して、通常モードおよび修復モードのいずれの動作モードで印刷するかを判断する。前記動作モードは、たとえばメンテナンス関係者などが装着部材２８の装着状態を切換えることによって、通常モードおよび修復モードのいずれか一方に切換えることができる。動作モードの切換えについての詳細な説明は後述する。
【００３２】
図６は、画像メモリ２１に記憶される画像データおよび管理情報の一例を示す図である。前述のように構成される通信装置１と他の通信装置とが通信する場合には、動作モードは、通常モードが選択されている。通常モードでは、他の通信装置から送信された画像データは、モデム８を介して、ＲＡＭ５に記憶されて受信される。さらに受信された画像データは、メモリ部３の画像メモリ２１に記憶されてバックアップされる。ＣＰＵ１２は、ＲＡＭ５に記憶される画像データに基づいて、画像を形成するようにプリンタ部７を制御する。また通信装置１から画像データを送信する場合、モデム８を介して通信相手の通信装置によって受信される。
【００３３】
受信した画像データが画像メモリ２１に記憶されるとき、管理情報が付加されて記憶される。また画像データは、１または複数のファイル形式で通信され、１つのファイルにおける画像データに基づいて、画像が１枚の記録材に形成される。換言すると１つのファイルにおける画像データに対して、１ページ分の画像が形成される。管理情報は、メモリ情報および文書情報を含む。メモリ情報は、画像メモリボード２０を識別するための情報である。文書情報は、受信および送信するための画像データに関する情報である。メモリ情報は、画像メモリボード２０の機種名と画像メモリ２１の記憶容量とを含む。文書情報は、識別番号ＩＤ、相手先番号、通信日時、総ページ数Ｐｔ、印刷出力数Ｐｏおよび通信出力を含む。識別番号ＩＤは、各画像データを識別するためにそれぞれ付与される番号である。図６の例では、識別番号ＩＤは、「ＤＯＣＡＡ」の下２桁「ＡＡ」を「０１」および「０２」などに変えた番号で表わされている。
【００３４】
相手先番号は、たとえば通信相手の電話番号である。相手先番号は、通信装置１において、画像データを受信したときには、送信元番号であり、画像データを送信したときには、送信先番号である。通信日時は、通信装置１において、画像データを受信したときには、受信日時であり、画像データを送信する予定であるときには、送信予定日時であり、画像データを送信したときには、送信日時である。総ページ数Ｐｔは、画像データに基づいて印刷するために必要な記録材の総枚数を表わす。印刷出力数Ｐｏは、画像データに基づいて、実際に印刷された記録材の枚数を表わす。たとえば総ページ数Ｐｔの分だけ印刷されたとき、すなわちある画像データに基づく印刷が終了したときには、印刷出力数Ｐｏは、印刷された記録材の枚数ではなく、画像の形成が終了したことを示す「ＥＤ」で表わされる。送信出力は、通信装置１から送信元への画像データの送信状態を表わす。送信出力は、送信元への送信待ちであれば、送信予定枚数で表わされ、送信が終了していれば、送信が終了したことを示す「ＥＤ」で表わされる。文書情報は、識別番号ＩＤに、相手先番号、通信日時、総ページ数Ｐｔ、印刷出力数Ｐｏおよび送信出力が対応付けられて記憶される。
【００３５】
画像メモリ２１は、複数のブロックを有し、各ブロック毎に予め定める情報を記憶する。図６の例では、画像メモリ２１は、管理情報ブロック３５および画像データブロック３６を有する。管理情報ブロック３５は、管理情報を記憶する。管理情報ブロック３５は、メモリ情報ブロック３７および文書情報ブロック３８を有する。メモリ情報ブロック３７は、メモリ情報を記憶する。このメモリ情報を画像データに付加しておくことによって、その画像データを記憶した画像メモリ２１が搭載される画像メモリボード２１を識別することができる。文書情報ブロック３８は、文書情報を記憶する。文書情報ブロック３８に記憶される文書情報は、画像データの送信および受信に応じて、随時更新される。
【００３６】
画像データブロック３６は、付与された識別番号毎に、画像データを記憶する。具体的には画像データブロック３６は、画像データの各ページに対応するファイルの名称と、ファイルの属性と、ファイル毎の画像データとが相互に対応付けて記憶される。図６の例では、たとえば「Ｆｉｌｅ５．ｔｉｆ」の「．ｔｉｆ」は、ファイル形式がＴｉｆｆ形式であることを表わす。このファイル形式では、ビットマップ画像を記憶するするために、画像データには「タグ」と呼ばれる属性を表わす情報が付加されており、属性によってどのような形式で記憶されたかを知ることができる。ファイル形式がＴｉｆｆ形式である場合、属性として、たとえば種別、画質、ライン数、画像幅および圧縮方法などで表わされる。種別には、ＦＡＸ受信画像、ＦＡＸ送信画像およびテキストなどがある。画質には、画像の解像度がある。
【００３７】
ライン数には、画像のライン数がある。画像幅には、Ａ４、Ｂ４およびＡ３などがある。圧縮方法には、各種の圧縮規格、たとえばモディファイドハフマン（Modified Huffman；略称ＭＨ）符号化方法、モディファイドリード（ModifiedREAD；略称ＭＭＲ）符号化方法、モディファイド・エムエムアール（ModifiedMR；略称ＭＭＲ）符号化方法、ジェイビーアイジー（Joint Bi-level ImageCoding Experts Group；略称ＪＢＩＧ）符号化方法およびビットマップ（ＢＩＴＭＡＰ）符号化方法などがある。このような属性に応じてＲＯＭ４に記憶されるルーチンプログラム４ａが実行されることによって、画像データに対して適切な画像処理が行われる。
【００３８】
図７は、通信装置１および別通信装置１ａが備えるマザーボード１５の一部を簡略化して示す斜視図である。図８は、動作モードを修復モードに切換えるときのポート出力Ｖｍと時間ｔとの関係を示すタイミングチャートである。図７において、別通信装置１ａは、通信装置１と同様の構成を有するので、同様の構成には同様の参照符号を付し、同様の説明は省略する。図８において、縦軸はＭポート２５のポート出力Ｖｍであり、横軸は、時間ｔである。自機とは異なる通信装置である別通信装置１ａが、受信した画像データが内蔵の画像メモリ２１に記憶された状態で、故障などの不具合が発生すると、通常モードで画像を形成することができなくなる場合がある。このような場合には、前述のように構成される通信装置１を用いて、別通信装置１ａの代わりに画像データを別通信装置１ａの画像メモリ２１から読み出して、画像を形成する修復モードで画像を形成することができる。
【００３９】
修復モードで画像を形成するにあたって、操作者、具体的にはメンテナンス関係者は、通信装置１および別通信装置１ａの電源を切って電源部２による電力の供給をそれぞれ断つ。以下、電源を切って電源部２による電力の供給を断つことを、「電源をオフ（ＯＦＦ）にする」と表記し、電源を入れて電源部２による電力の供給を行うことを、「電源をオン（ＯＮ）にする」と表記する。通信装置１および別通信装置１ａの電源をともにオフにすると、通信装置１および別通信装置１ａにそれぞれ内臓される画像メモリボード２０が、メンテナンス関係者によって、マザーボード１５からそれぞれ離脱される。
【００４０】
メンテナンス関係者は、離脱した別通信装置１ａの画像メモリボード２０のコネクタ２２と、通信装置１のマザーボード１５のコネクタ２３とを相互に接続する。これによって別通信装置１ａの画像メモリボード２０が、通信装置１のマザーボード１５に装着されて、通信装置１の画像メモリボード２０と置換えられる。このように通信装置１の画像メモリボード２０が、別通信装置１ａの画像メモリボード２０に置換えられて、別通信装置１ａの画像メモリボード２０がマザーボード１５のコネクタ２３に電気的に接続される。メンテナンス関係者は、画像メモリボード２０が置換されことを確認し、動作モードを通常モードから修復モードに切換えるための準備ができたと判断すると、通信装置１の電源をオンにする。
【００４１】
メンテナンス関係者は、通信装置１において、動作モードを通常モードから修復モードに切換えるにあたって、予め定める特定の第１の作業と第２の作業とをする。第１の作業は、メンテナンス関係者が、装着部材２８の装着状態を、予め定める時間が経過する前に、第１装着状態から第２装着状態に切換える作業である。第２の作業は、メンテナンス関係者が、第１の作業後に、装着部材２８の装着状態を、予め定める時間が経過する前に、第２装着状態から第１装着状態に切換える作業である。本実施の形態では、動作モードは、第１の作業によって、通常モードから修復モードに切換わって設定されるけれども、修復モードでの画像形成が実際に開始されるのは、第２の作業が終了してからである。
【００４２】
メンテナンス関係者は、前述のように動作モードを通常モードから修復モードに切換える準備ができたと判断し、通信装置１の電源をオンにすると、第１の作業をする。メンテナンス関係者が第１の作業をすることによって、装着部材２８は、第２ショートピン２７ｂと第３ショートピン２７ｃとを電気的に接続する第２装着状態になるように装着される。第１の作業をするにあたって、メンテナンス関係者は、通信装置１の電源をオンにしてから、タイマー部６によって予め設定される切換リミット時間ｔ１が経過する前に、装着部材２８の装着状態を切換えなければならない。第１の作業に要した時間は、タイマー部６によって計時される。このようにメンテナンス関係者が、装着部材２８の装着状態を、予め定める時間内に、第１装着状態から第２装着状態に切換えることによって、動作モードを通常モードから修復モードに切換えて、修復モードに設定することができる。
【００４３】
電源をオンにしてから切換リミット時間ｔ１［分］が経過する前に、第１の作業を完了すると、メンテナンス関係者は、第２の作業をする。メンテナンス関係者は、装着部材２８を第１ショートピン２７ａと第２ショートピン２７ｂとを電気的に接続する第１装着状態になるように装着する。第２の作業をするにあたって、メンテナンス関係者は、第１の作業を完了してから予め定める時間内に、装着部材２８の装着状態を切換えなければならない。このようにメンテナンス関係者が、装着部材２８の装着状態を、タイマー部６によって予め設定される時間内に、第２装着状態から第１装着状態に切換えることによって、所望の修復モードで画像形成を開始することができる。
【００４４】
また前述の作業手順をメンテナンス関係者には予め知らせておくことによって、メンテナンス関係者にとっては簡単な作業であるので、誤操作なく、的確かつ確実に対応することができる。また通信装置１の利用者が誤って操作しても、画像データが破壊されるなどの不具合がなく、通信装置１の誤動作を確実に防止することができる。このように簡単な構成、かつ簡単な作業手順によって、利用者の介入する余地を残さない効果を得ることができる。
【００４５】
修復モードで画像形成が開始されると、ＣＰＵ１２は、置換えた画像メモリ２１に記憶される画像データを読出し、その画像データが表わす画像を形成するようにプリンタ部７を制御する。このように修復モードで画像が形成されて、たとえば切換リミット時間ｔ１よりも時間が経過した時間ｔ２になって、修復モードでの画像形成が終了する。また前記時間ｔ２よりも時間が経過した時間ｔ３で、メンテナンス関係者は、通信装置１の電源をオフにして、通信装置１および別通信装置１ａの各画像メモリボード２０を相互に置換する。
【００４６】
メンテナンス関係者は、予め定める簡単な手順に従って作業することによって、動作モードを通常モードから修復モードに切換えることができる。メンテナンス関係者は、電源をオンまたはオフにする作業と、画像メモリボード２０を２つの装置の間で置換する作業と、装着部材２８の装着状態を切換える作業とをすることによって、動作モードを簡単に切換えることができる。これによって別通信装置１ａが、画像メモリ２１に受信した画像データを記憶した状態で、故障しても、メンテナンス関係者は、通信装置１を用いて、簡単な作業によって速やかに画像データを読み出して、その画像データが表わす画像を形成することができる。
【００４７】
図９は、動作モードの状態、ポート出力Ｖｍおよび装着部材２８の装着位置の関係を説明するための図である。通信装置１において、修復モードで画像を形成する前は、装着部材２８は、第１ショートピン２７ａと第２ショートピン２７ｂとを電気的に接続する第１装着状態になるように装着されている。このとき図９に示すように、Ｍポート２５のポート出力Ｖｍは、Ｌレベルであり、動作モードは、通常モードに設定されている。メンテナンス関係者が第１の作業をすることによって、装着部材２８の装着状態は、第２ショートピン２７ｂと第３ショートピン２７ｃとを電気的に接続する第２装着状態になる。装着部材２８の装着状態が、第１装着状態から第２装着状態に切換わると、Ｍポート２５のポート出力Ｖｍが、図９に示すように、ＬレベルからＨレベルになる。
【００４８】
メンテナンス関係者が第２の作業をすることによって、装着部材２８の装着状態は、第１ショートピン２７ａと第２ショートピン２７ｂとを電気的に接続する第１装着状態になる。装着状態２８の装着状態が、第２装着状態から第１装着状態に切換わると、Ｍポート２５のポート出力Ｖｍは、図９に示すように、ＨレベルからＬレベルになる。ポート出力Ｖｍは、動作モードが通常モードから修復モードに設定されたときは、一時的にＨレベルになるけれども、修復モードでの画像形成が開始されるまでに、図９に示すように、ＬレベルからＨレベルに変化して、ＨレベルからＬレベルに変化する。また装着部材２８の装着状態は、動作モードが通常モードから修復モードに設定されたときは、一時的に第２装着状態になるけれども、修復モードでの画像形成が開始されるときは、第１装着状態になる。
【００４９】
図１０は、通信装置１において修復モードで印刷するための一連の流れを示すフローチャートである。ステップｓ０でメンテナンス関係者の作業と、通信装置１の処理とを開始する前に、通信装置１と、故障した別通信装置１ａとの電源をオフにする作業と、通信装置１のマザーボード１５に、別通信装置１ａの画像メモリボード２０を装着する作業とは、メンテナンス関係者によって既に終了している。またステップ１５とステップｓ２との間には、メンテナンス関係者が、通信装置１の電源をオフにするとともに、第１ショートピン２７ａと第２ショートピン２７ｂとを接続するステップ（図示せず）をさらに含む。
【００５０】
ステップｓ０では、通信装置１において修復モードで印刷するときのメンテナンス関係者の作業とＣＰＵ１２の処理とが開始されて、ステップｓ１に進む。ステップｓ１では、メンテナンス関係者は、画像メモリボード２０の置換えが終了したか否かを判断する。具体的にはメンテナンス関係者は、通信装置１のマザーボード１５に別通信装置１ａの画像メモリボード２０が装着されているか否かを確認し、動作モードを修復モードに切換える準備ができたか否かを判断する。メンテナンス関係者は、通信装置１のマザーボード１５に別通信装置１ａの画像メモリボード２０が装着されていることを確認すると、動作モードを修復モードに切換えるための準備ができたと判断する。
【００５１】
またメンテナンス関係者は、通信装置１のマザーボード１５に別通信装置１ａの画像メモリ２０が装着されていないことを確認すると、動作モードを修復モードに切換えるための準備ができていないと判断する。ステップｓ１で、画像メモリボード１５の置換えが終了していると判断されると、ステップｓ２に進む。ステップｓ１における画像メモリボード２０の置換えが終了したか否かの判断は、画像メモリボード２０の置換えが終了されたと判断されるまで続けられる。
【００５２】
ステップｓ２では、メンテナンス関係者は、通信装置１の電源をオンにする。ステップｓ２で通信装置１の電源がオンにされると、ステップｓ３に進む。ステップｓ３では、通信装置１のＣＰＵ１２は、時間ｔをリセットし、計時を開始する指令を、タイマー部６に与える。ステップｓ３でタイマー部６が、ＣＰＵ１２からの指令によって時間ｔがリセットされて計時が開始されると、ステップｓ４に進む。ステップｓ４では、ＣＰＵ１２は、Ｍポート２５のポート出力ＶｍがＬレベルか否かを判断し、ポート出力ＶｍがＬレベルであると判断すると、ステップｓ５に進み、ポート出力ＶｍがＬレベルでないと判断すると、ステップｓ１５に進む。
【００５３】
ステップｓ５では、メンテナンス関係者は、第２ショートピン２７ｂと第３ショートピン２７ｃとを接続する第２装着状態になるように、装着部材２８を第２および第３ショートピン２７ｂ，２７ｃに装着する。ステップｓ５で装着部材２８が第２装着状態になるように装着されると、ステップｓ６に進む。ステップｓ６では、ＣＰＵ１２は、Ｍポート２５のポート出力ＶｍがＨレベルか否かを判断し、ポート出力ＶｍがＨレベルであると判断すると、ステップｓ７に進み、ポート出力ＶｍがＬレベルであると判断すると、ステップｓ１３に進む。
【００５４】
ステップ７では、ＣＰＵ１２は、時間ｔをリセットし、計時を開始する指令を、タイマー部６に与える。ステップｓ７でタイマー部６が、ＣＰＵ１２からの指令によって時間ｔをリセットし、計時を開始すると、ステップｓ８に進む。ステップｓ８では、メンテナンス関係者は、第１ショートピン２７ａと第２ショートピン２７ｂとを接続する第１装着状態になるように、装着部材２８を第１および第２ショートピン２７ａ，２７ｂに装着する。ステップｓ８で装着部材２８が第１装着状態になるように装着されると、ステップｓ９に進む。
【００５５】
ステップｓ９では、ＣＰＵ１２は、Ｍポート２５のポート出力ＶｍがＬレベルであるか否かを判断し、ポート出力ＶｍがＬレベルであると判断するとステップｓ１０に進み、ポート出力ＶｍがＬレベルでないと判断するとステップｓ８に進む。ステップｓ１０では、ＣＰＵ１２は、タイマー部６によって計時された時間Ｔ２が、０．５［秒］よりも大きく、５［秒］以下であるか否かを判断する。ステップｓ１０において、タイマー部６によって計時された時間Ｔ２は、メンテナンス関係者が、装着部材２８を第２装着状態から第１装着状態になるように装着するために要した時間である。ステップｓ１０でタイマー部６によって計時された時間Ｔ２が、０．５［秒］よりも大きく、５［秒］以下であると判断されると、ステップｓ１１に進む。またタイマー部６によって計時された時間Ｔ２が、０．５［秒］よりも大きく、５［秒］以下ではないと判断されると、ステップｓ１５に進む。
【００５６】
ステップｓ１１では、ＣＰＵ１２は、修復モードでの画像形成を開始するコメントを表示して、メンテナンス関係者に報知する指令を、パネル部１１の表示部分１１ｂを与える。表示部分１１ｂには、たとえば「修復モードで画像を形成します」などのコメントが表示される。ステップｓ１１で表示部分１１ｂによって、修復モードでの画像形成を開始するコメントが表示されると、ステップｓ１２に進む。ステップｓ１２では、ＣＰＵ１２が、ＲＯＭ４に記憶される修復プログラムを実行して、修復モードでの画像形成が開始される。ステップｓ１２で修復モードでの画像形成が開始されると、ステップｓ１６に進んですべての手順を終了する。
【００５７】
前述のステップｓ６で、ポート出力ＶｍがＨレベルでないと判断されてステップｓ１３に進むと、ステップｓ１３では、ＣＰＵ１２は、タイマー部６によって計時された時間Ｔ１が、切換リミット時間ｔ１よりも小さいか否かを判断する。ステップｓ１３において、タイマー部６によって計時された時間Ｔ１は、メンテナンス関係者が、装着部材２８を第１装着状態から第２装着状態になるように装着するために要した時間である。ステップｓ１３で、タイマー部６によって計時された時間Ｔ１が、切換リミット時間ｔ１よりも小さいと判断されるとステップｓ１４に進み、切換リミット時間ｔ２以下であると判断されるとステップｓ５に進む。ステップｓ１４では、ＣＰＵ１２は、動作モードが修復モードに設定されていない、すなわち動作モードが通常モードに設定されていると判断して、通常モードで画像を形成する。ステップｓ１４で、通常モードでの画像形成が終了すると、ステップｓ１６に進んですべての手順を終了する。
【００５８】
ステップｓ１５では、ＣＰＵ１２は、メンテナンス関係者に対して作業をやり直すように指示する内容のコメントを表示する指令を、パネル部１１の表示部分１１ｂに与える。作業をやり直すように指示する内容のコメントとは、具体的には通信装置１の電源をオフにし、装着部材２８を用いて第１ショートピン２７ａと第２ショートピン２７ｂとを接続する内容のコメントである。表示部分１１ｂには、たとえば「ショートピンを１−２端子に切換えて、電源を再度立ち上げて下さい」などのコメントが表示される。
【００５９】
このように動作モードを通常モードから修復モードに切換えるための作業が、予め定める手順通りに行われなかったときには、表示部にコメントを表示して、メンテナンス関係者に報知する。これによってメンテナンス関係者は、作業が予め定める手順通りにできたか否かを容易に知ることができる。またメンテナンス関係者が誤って作業をしたときであっても、その誤操作によってＣＰＵ１２による処理が続けられることがないので、通信装置１の誤動作を防止することができる。ステップｓ１５で表示部分１１ｂがコメントを表示すると、ステップｓ２に進む。
【００６０】
図１１は、メンテナンス関係者が、動作モードを通常モードから修復モードに切換えるための準備をするときの作業手順を示すフローチャートである。ステップａ０では、別通信装置１ａが、受信した画像データを画像メモリ２１に記憶した状態で、故障などの不具合を発生したとき、メンテナンス関係者が、動作モードを通常モードから修復モードに切換えるための作業を開始して、ステップａ１に進む。ステップａ１では、メンテナンス関係者は、別通信装置１ａの電源をオフにする。ステップａ１で、別通信装置１ａの電源がオフにされると、ステップａ２に進む。
【００６１】
ステップａ２では、メンテナンス関係者は、別通信装置１ａの画像メモリボード２０をマザーボード１５から離脱する。ステップａ２で、別通信装置１ａの画像メモリボード２０が、マザーボード１５から離脱されると、ステップａ３にっ進む。ステップａ３では、メンテナンス関係者は、正常な通信装置１の電源をオフにして、内臓される画像メモリボード２０をマザーボード１５から離脱する。画像メモリボード２０をマザーボード１５から離脱した後、メンテナンス関係者は、通信装置１のマザーボード１５に、別通信装置１ａの画像メモリボード２０を装着して、通信装置１の画像メモリボード２０を、別通信装置１ａの画像メモリボード２０に置換える。ステップａ３で、通信装置１の電源がオフにされ、画像メモリボード２０が置換されると、ステップａ４に進んですべての作業手順を終了する。
【００６２】
図１２は、メンテナンス関係者が、動作モードを通常モードから修復モードに切換えるときの作業手順を示すフローチャートである。ステップｂ０では、メンテナンス関係者によって、動作モードの通常モードから修復モードへの切換え作業が開始されて、ステップｂ１に進む。ステップｂ１では、前述のステップｓ１と同様に、メンテナンス関係者は、画像メモリボード２０の置換えが終了したか否かを判断し、画像メモリボード２０の置換えが終了したと判断すると、ステップｂ２に進む。ステップｂ１における画像メモリボード２０の置換えが終了したか否かの判断は、画像メモリボード２０の置換えが終了したと判断されるまで続けられる。
【００６３】
ステップｂ２では、メンテナンス関係者は、通信装置１の電源をオンにして、ステップｂ３に進む。ステップｂ３では、メンテナンス関係者は、装着部材２８を用いて、第２ショートピン２７ｂと第３ショートピン２７ｃとを電気的に接続する。具体的にはメンテナンス関係者は、通信装置１の電源をオンにしてから、第１装着状態から第２装着状態に切換えるまでの時間Ｔ１が、切換リミット時間ｔ１よりも小さくなるように、第２ショートピン２７ｂと第３ショートピン２７ｃとを電気的に接続する。ステップｂ３で、第２ショートピン２７ｂと第３ショートピン２７ｃとが、装着部材２８によって電気的に接続されると、ステップｂ４に進む。
【００６４】
ステップｂ４では、メンテナンス関係者は、装着部材２８を用いて、第１ショートピン２７ａと第２ショートピン２７ｂとを電気的に接続する。具体的にはメンテナンス関係者は、第２装着状態から第１装着状態に切換えるまでの時間Ｔ２が、０．５秒よりも大きく５秒以下になるように、第１ショートピン２７ａと第２ショートピン２７ｂとを電気的に接続する。ステップｂ４で、第１ショートピン２７ａと第２ショートピン２７ｂとが、装着部材２８によって電気的に接続されると、ステップｂ５に進んですべての手順を終了する。このようにメンテナンス関係者は、通信装置１の画像メモリボード２０と、別通信装置１ａの画像メモリボード２０とを置換える作業と、装着部材２８を用いて装着状態を切換える作業との簡単な作業をすることによって、動作モードを修復モードに切換えることができる。
【００６５】
図１３は、メンテナンス関係者が、動作モードを通常モードから修復モードに切換えるときに、ＣＰＵ１２が対応して行う処理手順を示すフローチャートである。ステップｃ０では、メンテナンス関係者によって電源がオンにされると、ＣＰＵ１２は、メンテナンス関係者による作業に対応して行う処理を開始して、ステップｃ１に進む。ステップｃ１では、ＣＰＵ１２は、前述のステップｓ３と同様の処理をして、ステップｃ２に進む。ステップｃ２では、前述のステップｓ４と同様に、ＣＰＵ１２は、Ｍポート２５のポート出力ＶｍがＬレベルか否かを判断する。ステップｃ２で、ポート出力ＶｍがＬレベルであると判断されると、ステップｃ３に進み、ポート出力ＶｍがＬレベルでないと判断されると、ステップｃ１１に進む。
【００６６】
ステップｃ３では、前述のステップｓ６と同様に、ＣＰＵ１２は、Ｍポート２５のポート出力ＶｍがＨレベルであるか否かを判断する。ステップｃ３で、ポート出力ＶｍがＨレベルであると判断されると、ステップｃ４に進み、ポート出力ＶｍがＨレベルでないと判断されると、ステップｃ９に進む。ステップｃ４では、ＣＰＵ１２は、前述のステップｓ７と同様の処理をして、ステップｃ５に進む。
【００６７】
ステップｃ５では、前述のステップｓ９と同様に、ＣＰＵ１２は、Ｍポート２５のポート出力ＶｍがＬレベルであるか否かを判断する。ステップｃ５で、ポート出力ＶｍがＬレベルであると判断されると、ステップｃ６に進む。ステップｃ５におけるポート出力ＶｍがＬレベルであるか否かの判断は、ポート出力ＶｍがＬレベルになるまで続けられる。ステップｃ６では、前述のステップｓ１０と同様に、ＣＰＵ１２は、タイマー部６によって計時された時間Ｔ２が、０．５秒よりも大きく５秒以下であるか否かを判断する。ステップｃ６で、タイマー部６によって計時された時間Ｔ２が、０．５秒よりも大きく５秒以下であると判断されるとステップｃ７に進み、０．５秒よりも大きく５秒以下でないと判断されるとステップｃ１１に進む。
【００６８】
ステップｃ７では、ＣＰＵ１２は、前述のステップｓ１１と同様の処理をして、ステップｃ８に進む。ステップｃ８では、ＣＰＵ１２は、前述のステップｓ１２と同様の処理をして、ステップｃ１２に進んですべての処理を終了する。前述のステップｃ３で、ポート出力ＶｍがＨレベルでないと判断されてステップｃ９に進むと、ステップｃ９では、前述のステップｓ１３と同様に、ＣＰＵ１２は、タイマー部６によって計時された時間Ｔ１が、切換リミット時間ｔ１よりも小さいか否かを判断する。ステップｃ９で、タイマー部６によって計時された時間Ｔ１が、切換リミット時間ｔ１よりも小さいと判断されると、ステップｃ３に進み、前記時間ｔ１が切換リミット時間ｔ１以上であると判断されると、ステップｃ１０に進む。
【００６９】
ステップｃ１０では、ＣＰＵ１２は、前述のステップｓ１４と同様の処理をして、ステップｃ１２に進んですべての処理を終了する。ステップｃ１１では、ＣＰＵ１２は、前述のステップｓ１５と同様の処理をして、ステップｃ１２に進んですべての処理を終了する。このようにＣＰＵ１２は、メンテナンス関係者による作業に対応して、装着部材２８の装着状態の切換えによって変化するポート出力Ｖｍと、タイマー部６によって計時された時間とを用いた簡単な処理によって、動作モードを通常モードと修復モードとのいずれに切換えることができる。これによってＣＰＵ１２による処理の処理量を少なくすることができ、他の演算手段を設けることなく、簡単な構成で動作モードの切換えを実現することができる。
【００７０】
図１４は、動作モードが通常モードから修復モードに切換えられたときの、ＣＰＵ１２による処理手順を示すフローチャートである。通信装置１において、動作モードが通常モードから修復モードに切換えられると、ＣＰＵ１２は、ＲＯＭ４に記憶される修復プログラムを実行して、画像メモリ２１に記憶される画像データ、すなわち別通信装置１ａにおいて受信されて記憶された画像データを画像メモリ２１を読出し、その画像データが表わす画像を形成する。
【００７１】
ステップｄ０では、ＣＰＵ１２は、ＲＯＭ４に記憶される修復プログラムを読み出して、実行してステップｄ１に進む。ステップｄ１では、ＣＰＵ１２は、画像メモリ２１に記憶される管理情報のメモリ情報を読み出して、通信装置１におけるメモリ情報と、別通信装置１ａにおけるメモリ情報とが一致するか否かを判断する。具体的には通信装置１における機種名と、別通信装置１ａにおける機種名とが一致するか否かを判断するとともに、通信装置１におけるデバイス情報と、別通信装置１ａにおけるデバイス情報とが一致するか否かを判断する。ステップｄ１で、メモリ情報が一致すると判断されるとステップｄ２に進み、メモリ情報が一致しないと判断されると、ステップｄ１２に進む。
【００７２】
ステップｄ２では、ＣＰＵ１２は、管理情報の文書情報から、最新の通信日時を検索して、その通信日時と対応付する識別番号ＩＤが「ＤＯＣＡＡ」である画像データに関して、文書情報とファイルの名称とを読み出す。たとえば前述の図６の例では、通信日時が最新である識別番号ＩＤは、「ＤＯＣ０３」である。ステップｄ２で、通信日時が最新の画像データの文書情報とファイルの名称とが読み出されると、ステップｄ３に進む。
【００７３】
ステップｄ３では、ＣＰＵ１２は、識別番号が「ＤＯＣＡＡ」である画像データの文書情報に基づいて、印刷出力数Ｐｏが「ＥＤ」か否かを判断する。ステップｄ３で、印刷出力数Ｐｏが「ＥＤ」であると判断されると、ステップｄ４に進み、印刷出力数Ｐｏが「ＥＤ」でないと判断されると、ステップｄ１３に進む。ステップｄ４では、ＣＰＵ１２は、識別番号が「ＤＯＣＡＡ」である画像データの文書情報とファイルの名称とに基づいて、総ページ数Ｐｔが、記憶されるファイルの数と同じか否かを判断する。ステップｄ４で、総ページ数Ｐｔがファイルの数と同じであると判断されると、ステップｄ５に進む。ステップｄ４で、総ページ数Ｐｔがファイルの数と同じでないと判断されると、ステップｄ１４に進む。
【００７４】
ステップｄ５では、ＣＰＵ１２は、識別番号が「ＤＯＣＡＡ」である画像データの通信が確実に行われたけれども、印刷が完全に終了して否と判断して、印刷必要ページ数Ｋを演算する。具体的にはＣＰＵ１２は、総ページ数Ｐｔおよび印刷出力数Ｐｏに基づいて、印刷必要ページ数Ｋに、（Ｐｔ−Ｐｏ＋１）の式で得られる値を与える。ステップｄ５において、たとえば識別番号が「ＤＯＣＡＡ」の画像データが、図６に示す識別番号が「ＤＯＣ０３」の画像データであるとき、総ページ数Ｐｔが「５」であり、印刷出力数Ｐｏが「３」である。これによって印刷必要ページ数Ｋは、「３」となる。したがって識別番号が「ＤＯＣ０３」の画像データにおいて、３ページ分だけ印刷が終了していないことになる。ステップｄ５で、印刷必要ページ数が演算されると、ステップｄ６に進む。
【００７５】
ステップｄ６では、ＣＰＵ１２は、識別番号が「ＤＯＣＡＡ」の画像データの総ページ数Ｐｔと必要印刷ページ数Ｋとに基づいて、（Ｐｔ−Ｋ＋１）ページ目を印刷する指令を、プリンタ部７に与える。ステップｄ６において、たとえば識別番号が「ＤＯＣＡＡ」の画像データが、識別番号が「ＤＯＣ０３」の画像データであり、かつ総ページ数Ｐｔが「５」であり、必要印刷ページ数Ｋが「３」であるとき、印刷を開始するページは、「３」ページ目になる。ステップｄ６で、印刷すべきページがプリンタ部７によって印刷されると、ステップｄ７に進む。
【００７６】
ステップｄ７では、ＣＰＵ１２は、必要印刷ページ数Ｋに、必要印刷ページ数Ｋから１だけ減算した値を与えて、ステップｄ８に進む。ステップｄ８では、ＣＰＵ１２は、必要印刷ページ数Ｋが０（零）であるか否かを判断する。ステップｄ８で、必要印刷ページ数Ｋが０（零）であると判断されるとステップｄ９に進み、必要印刷ページ数Ｋが０（零）でないと判断されると、ステップｄ６に進む。ステップｄ９では、識別番号が「ＤＯＣＡＡ」の画像データの印刷出力数Ｐｏを「ＥＤ」とする。具体的にはＣＰＵ１２は、識別番号が「ＤＯＣＡＡ」の画像データにおいて、印刷出力数Ｐｏを「ＥＤ」として文書情報を更新する指令を、画像メモリ２１を与える。このＣＰＵ１２からの指令に基づいて、画像メモリ２１は、識別番号が「ＤＯＣＡＡ」の画像データにおける印刷出力数Ｐｏを「ＥＤ」に更新して記憶する。ステップｄ９で、識別番号が「ＤＯＣＡＡ」の画像データの印刷出力数Ｐｏが「ＥＤ」とされると、ステップｄ１０に進む。
【００７７】
ステップｄ１０では、ＣＰＵ１２は、印刷が終了していなかった画像データに基づく印刷が終了したことを表わすコメントを、表示する指令をパネル部７の表示部分１１ｂに与えるとともに、前記コメントを印刷する指令をプリンタ部７に与える。これによって前記コメントが表示部分１１ｂによって表示されるとともに、コメントがプリンタ部７によって印刷される。ステップｄ１０において、たとえば「バックアップデータ印刷完了」などのコメントが、表示部分１１ｂによって表示されるとともに、プリンタ部７によって印刷される。ステップｄ１０で、コメントが表示および印刷されると、ステップｄ１１に進む。
【００７８】
ステップｄ１１では、ＣＰＵ１２は、更新された文書情報を印刷する指令をプリンタ部７に与えて、文書情報を印刷させる。ステップｄ１１で、文書情報が印刷されると、ステップｄ１５に進んですべての処理を終了する。前述のステップｄ１でメモリ情報が一致しないと判断されて、ステップｄ１２に進むと、ステップｄ１２では、ＣＰＵ１２は、別通信装置１ａの画像メモリボード２０が間違った画像メモリボードであることを表わすコメントを表示する指令を、パネル部１１の表示部分１１ｂに与えて、前記コメントを表示させる。前記間違った種類の画像メモリボードは、たとえば通信装置１のマザーボード１５には装着できない異なる種類の画像メモリボードである。ステップｄ１２において、表示部分１１ｂには、たとえば「エラー（ＥＲＲＯＲ）」などのコメントが表示される。ステップｄ１２において、コメントは、表示部分１１ｂで表示させる代わりに、プリンタ部７で印刷してもよいし、表示部分１１ｂで表示させるとともに、プリンタ部７で印刷させてもよい。ステップｄ１２で、コメントが表示されると、ステップｄ１に進む。
【００７９】
前述のステップｄ３で、印刷出力数Ｐｏが「ＥＤ」でないと判断されてステップｄ１３に進むと、ステップｄ１３では、ＣＰＵ１２は、印刷すべき画像データが画像メモリ２１に記憶されていないことを表わすコメントを表示する指令を、パネル部１１の表示部分１１ｂに与えて、前記コメントを表示させる。ステップｄ１３において、表示部分１１ｂには、たとえば「印刷すべきバックアップデータはありません」などのコメントが表示される。ステップｄ１３において、コメントを表示部分１１ｂに表示させる代わりに、コメントをプリンタ部７に印刷させるようにしてもよいし、コメントを表示部分１１ｂに表示させるとともに、プリンタ部７に印刷させるようにしてもよい。ステップｄ１３で、コメントが表示されると、ステップｄ１５に進んですべての処理を終了する。
【００８０】
前述のステップｄ４で、総ページ数Ｐｔがファイルの数と同じでないと判断されてステップｄ１４に進むと、ステップｄ１４では、ＣＰＵ１２は、別通信装置１ａにおいて通信が失敗したことを表わすコメントを表示する指令を、パネル部１１の表示部分１１ｂに与えて、前記コメントを表示させる。ステップｄ１４において、たとえば「画像データが不足しています」、「発信元８８８−４４４、通信日２００２／７／２３、通信時間１５：４０」および「画像データＤＯＣＡＡの「Ｐｔ」ページ分の画像データを再送依頼して下さい」などのコメントが、表示される。このように通信装置１を用いて、別通信装置１ａの代わりに印刷するにあたって、別通信装置１ａにおいて通信が失敗していたときには、通信が失敗したことを表示部分１１ｂに表示させて、メンテナンス関係者に報知することができる。これによってメンテナンス関係者が、通信相手からの情報が不足していることを確実に知ることができる。したがって通信相手からの情報が不足していることで生じる不具合を未然に防ぎ、装置の操作者が、送信元からデータを再度送信してもらうなどして適切な対応を取ることができる。
【００８１】
ステップｄ１４において、コメントを表示部分１１ｂに表示させる代わりに、コメントをプリンタ部７に印刷させてもよいし、コメントを表示部分１１ｂに表示させるとともに、プリンタ部７に印刷させてもよい。ステップｄ１４で、コメントが表示されるとともに、印刷されるとステップｄ１５に進んですべての処理を終了する。図１４に示すフローチャートにおいて、印刷がすべて終了していない画像データが複数あるときには、ステップｄ１５ですべての処理を終了する前に、ＣＰＵ１２が未印刷の画像データがあるか否かを判断するステップを設けて、未印刷の画像データがあると判断した場合には、その画像データの文書情報とファイルの名称とを読み出して、ステップｄ３に進み、未印刷の画像データがないと判断した場合には、ステップｄ１５に進んですべての処理を終了するようにしてもよい。
【００８２】
図１５は、メンテナンス関係者が、動作モードを修復モードから通常モードに切換えるとき作業手順を示すフローチャートである。ステップｅ０における動作モードの修復モードから通常モードへの切換え作業が開始される前に、修復モードでの画像形成は、既に終了している。ステップｅ０では、メンテナンス関係者によって、動作モードの修復モードから通常モードへの切換え作業を開始して、ステップｅ１に進む。ステップｅ１では、メンテナンス関係者は、通信装置１の電源をオフにする。ステップｅ１で、通信装置１の電源がオフにされると、ステップｅ２に進む。
【００８３】
ステップｅ２では、メンテナンス関係者は、画像メモリボード２０を置換える。具体的にはメンテナンス関係者は、通信装置１のマザーボード１５に装着される画像メモリボード２０を離脱して、別通信装置１ａの画像メモリボード２０に置換える前の、元の通信装置１の画像メモリボード２０をマザーボード１５に装着する。ステップｅ２で、画像メモリボード２０が置換えられると、ステップｅ３に進んですべての作業を終了する。このように修復モードで画像形成が終了した後に、メンテナンス関係者は、通信装置１と別通信装置１ａとの間で、画像メモリボード２０を置換えるだけの簡単な作業をするだけで、動作モードを修復モードから通常モードに切換えることができる。これによって操作者による誤操作を防止することができる。さらに画像メモリ２１に記憶される画像データを壊すなどの不具合が発生することを防止して、画像データの機密性を確保することができる。
【００８４】
前述の本実施の形態によれば、自機とは異なる別通信装置１ａの画像メモリ２０に、受信した画像データが記憶された状態で、故障などの不具合が発生して印刷することができないとき、利用者およびサービスマンなどの操作者は、別通信装置１ａの画像メモリ２０を用いて印刷することができる。このとき操作者は、通信装置１および別通信装置１ａの各画像メモリボード２０を相互に置換える作業と、通常モードから修復モードに動作モードを切換える作業との、２つの作業だけで対応することができる。このように簡単な２つの作業、かつ簡単な構成で装置の不具合に適切かつ確実に対応することができる。これによって操作者が、作業時に誤って操作することを確実に防止することができる。また画像データの破壊などを防止して、画像データの機密性を確保することができる。さらに印刷途中に、別通信装置１ａに不具合が発生したときであっても、残りの画像を確実に印刷して、通信相手からの情報を確実に取得することができる。
【００８５】
さらに本実施の形態によれば、画像メモリ２１に記憶される画像データには、受信したときの画像データの全体量を含む管理情報が付加されている。画像メモリ２１に記憶される画像データの全体量が、管理情報における画像データの全体量と一致しないとき、この画像データを受信したときの通信が失敗したとＣＰＵ１２によって判断される。このとき表示部分１１およびプリンタ部７は、通信が失敗したことを表わす情報を報知するように、ＣＰＵ１２によって制御される。このように画像データを受信したときの通信に関する情報が報知されるので、利用者が、通信相手からの情報が不足していることを確実に知ることができる。これによって通信相手からの情報が不足していることで生じる不具合を未然に防ぎ、装置の操作者が、通信相手から画像データを再度送信してもらうなどして適切な対応を取ることができる。
【００８６】
さらに本実施の形態によれば、モード切換部１０のモード選択スイッチ回路２６は、第１〜第３ショートピン２７ａ〜２７ｃと、第１〜第３ショートピン２７ａ〜２７ｃのうち２つのショートピンに選択的に装着される装着部材２８とを有する。装着部材２８の第１〜第２ショートピン２７ａ〜２７ｃへの装着状態を切換えることによって、通常モードと修復モードとが切換えられる。このようにモード選択スイッチ回路２６が構成されるので、装着部材２８の装着状態を切換えるだけの簡単な作業で動作モードを切換えることができる。これによって緊急を要するようなときであっても、メンテナンス関係者などの操作者による誤操作を確実に防止することができる。
【００８７】
前述の本実施の形態は、本発明の例示に過ぎず、本発明の範囲内において構成を変更できる。たとえば前述では、別通信装置１ａで受信した画像データに対して、通信装置１が修復モードで印刷する構成であったけれども、別通信装置１ａで送信する画像データに対して、通信装置１が修復モードで画像データを送信するようにしてもよい。この場合、図６の例では、受信した画像データに関しての文書情報を示していたけれども、通信装置１で送信する画像データに関しても、印刷出力数の代わりに送信出力数として記憶する。さらに画像データが送信されていれば、数値の代わりに「ＥＤ」として記憶する。このように構成することによって別通信装置１ａが送信するときおよび受信するときのいずれのときに不具合を生じても、通信装置１を用いて確実に対応することができる。
【００８８】
【発明の効果】
本発明によれば、接続手段に着脱自在に接続される記憶手段と、データを記憶手段から読み出す読出し手段と、動作モードを切換える切換手段とを含む通信装置を用いて、自機とは異なる別の通信装置で不具合によって画像を形成することができなくても、別の通信装置の代わりに画像を形成することができる。このとき利用者およびサービスマンなどの操作者は、通信装置および前記別の通信装置の各記憶手段を相互に置換える作業と、通常モードから修復モードに動作モードを切換える作業との、２つの作業だけで対応することができる。このように簡単な２つの作業、かつ簡単な構成で装置の不具合に適切かつ確実に対応することができる。これによって操作者が、作業時に誤って操作することを確実に防止することができる。またデータの破壊などを防止してデータの機密性を確保することができる。さらに画像の形成途中に、前記別の通信装置に不具合が発生したときであっても、残りの画像を確実に形成して、通信相手からの情報を確実に取得することができる。
【００８９】
また本発明によれば、記憶手段に記憶されるデータに付加される管理情報に基づいて、記憶手段に記憶されるデータの全体量が、管理情報におけるデータの全体量と一致しないとき、自機とは異なる通信装置において通信が失敗したことを表わす情報を報知する。このようにデータを受信したときの通信に関する情報が報知されるので、利用者が、通信相手からの情報が不足していることを確実に知ることができる。これによって通信相手からの情報が不足していることで生じる不具合を未然に防ぎ、装置の操作者が、通信相手からデータを再度送信してもらうなどして適切な対応を取ることができる。
【００９０】
また本発明によれば、切換手段は、３つの端子と、３つの端子のうち２つの端子に選択的に装着される装着部材とを有する。装着部材の端子への装着状態を切換えることによって、通常モードと修復モードとが切換えられる。このように切換手段が構成されるので、３つの端子のうち２つの端子に、装着部材を選択的に装着するだけの簡単な作業で動作モードを切換えることができる。これによって緊急を要するようなときであっても、装置の操作者による誤操作を確実に防止することができる。
【図面の簡単な説明】
【図１】本発明の実施の一形態である通信装置１の構成を簡略化して示すブロック図である。
【図２】通信装置１が備えるマザーボード１５の構成の一部を簡略化して示す斜視図である。
【図３】モード切換部１０の電気的構成を示す回路図である。
【図４】装着部材２８が第１ショートピン２７ａと第２ショートピン２７ｂとを接続する状態を示す図である。
【図５】装着部材２８が第２ショートピン２７ｂと第３ショートピン２７ｃとを接続する状態を示す図である。
【図６】画像メモリ２１に記憶される画像データおよび管理情報の一例を示す図である。
【図７】通信装置１および別通信装置１ａが備えるマザーボード１５の一部を簡略化して示す斜視図である。
【図８】動作モードを修復モードに切換えるときのポート出力Ｖｍと時間ｔとの関係を示すタイミングチャートである。
【図９】動作モードの状態、ポート出力Ｖｍおよび装着部材２８の装着位置の関係を説明するための図である。
【図１０】通信装置１において修復モードで印刷するための一連の流れを示すフローチャートである。
【図１１】メンテナンス関係者が、動作モードを通常モードから修復モードに切換えるための準備をするときの作業手順を示すフローチャートである。
【図１２】メンテナンス関係者が、動作モードを通常モードから修復モードに切換えるときの作業手順を示すフローチャートである。
【図１３】メンテナンス関係者が、動作モードを通常モードから修復モードに切換えるときに、ＣＰＵ１２が対応して行う処理手順を示すフローチャートである。
【図１４】動作モードが通常モードから修復モードに切換えられたときの、ＣＰＵ１２による処理手順を示すフローチャートである。
【図１５】メンテナンス関係者が、動作モードを修復モードから通常モードに切換えるとき作業手順を示すフローチャートである。
【符号の説明】
１  通信装置
３  メモリ部
４  ＲＯＭ
５  ＲＡＭ
６  タイマー部
７  プリンタ部
８  モデム
９  ＮＣＵ
１０  モード切換部
１１  パネル部
１２  ＣＰＵ
１３  データバス
１５  マザーボード
２０  画像メモリボード
２１  画像メモリ
２２，２３  コネクタ
２５  Ｍポート
２６  モード選択スイッチ回路
２７ａ〜２７ｃ  第１〜第３ショートピン
【図１】
2004193993.tif 000003
【図２】
2004193993.tif 000004
【図３】
2004193993.tif 000005
【図４】
2004193993.tif 000006
【図５】
2004193993.tif 000007
【図６】
2004193993.tif 000008
【図７】
2004193993.tif 000009
【図８】
2004193993.tif 000010
【図９】
2004193993.tif 000011
【図１０】
2004193993.tif 000012
【図１１】
2004193993.tif 000013
【図１２】
2004193993.tif 000014
【図１３】
2004193993.tif 000015
【図１４】
2004193993.tif 000016
【図１５】
2004193993.tif 000017